(57)【要約】　　　（修正有）【課題】慣れない運転者が適正な位置へ自動車を停止させるのに手間取ったり、また洗車後に円滑な退場ができずに洗車処理の効率を低下させるといった問題を解決する。【解決手段】車体検出手段１１ａと車体上面処理装置との間の洗車機本体１内壁に凹陥部を形成し、この凹陥部に自動車の進入・停止等を点灯して案内するガイド灯１４を設けるようにした。また、洗車機本体後方に発光表示素子をマトリクス状に配列して文字や図形をる可変表示する表示器１５を設けて、自動車の入場や退場を促すガイド表示を行うようにした。【選択図】　図２
2004001598.tif 000002
【特許請求の範囲】
【請求項１】
自動車が通り抜け可能な洗車スペースに設置され、複数の洗車処理装置を配置して洗車機本体と自動車との相対移動に伴い自動車車体の洗浄・乾燥をはかる洗車機において、洗車機本体の前端部に設けられる車体検出手段と、該車体検出手段の後方に位置し洗車機本体に昇降可能に支持される車体上面処理装置と、前記車体検出手段と車体上面処理装置との間の洗車機本体内壁に形成される凹陥部と、該凹陥部に設けられ自動車の進入・停止等を点灯して案内するガイド灯と、前記車体検出手段からの車体検出信号に応じてガイド灯の点灯を制御する制御手段とを設けることを特徴とした洗車機。
【請求項２】
請求項１記載の洗車機において、前記凹陥部は、自動車の運転席からガイド灯の視認がし易いよう前側に傾斜面を形成してあり、ガイド灯の透光カバー部が洗車本体内壁より内側へ洗車に影響しない程度に突出するよう設けられていることを特徴とした洗車機。
【請求項３】
請求項１記載の洗車機において、前記凹陥部にはそれを覆うように透光カバーが設けられ、この透光カバーは洗車本体内壁より内側へ洗車に影響しない程度に突出すると共に、透光カバーの主面が自動車の運転席へ向くように後方から前方へ傾斜して設けられていることを特徴とした洗車機。
【請求項４】
自動車が通り抜け可能な洗車スペースに設置され、複数の洗車処理装置を配置して洗車機本体と自動車との相対移動に伴い自動車車体の洗浄・乾燥をはかる洗車機において、洗車機本体の前端部に設けられる第１の車体検出手段と、洗車機本体の後端部に設けられる第２の車体検出手段と、洗車機本体後方に位置し自動車の入場や退場を促すガイド表示を行う表示器と、前記第１および第２の車体検出手段からの車体検出信号に応じて表示器の表示を切り換えるよう制御する制御手段とを設け、前記表示器はＬＥＤ等の発光表示素子をマトリクス状に配列し所定の文字・図形等を表示する表示内容可変のものであり、入場や退場を促す文字情報を表示することを特徴とした洗車機。
【請求項５】
請求項４記載の洗車機において、前記表示器は、洗車位置に停車した自動車の運転席から視認できるよう自動車の退出路へ突出させた第１の位置と、自動車の退出路から退避させた第２の位置とをとり得るよう位置可変手段を具備しており、前記制御手段は、車体検出手段からの車体検出信号に応じて表示器の位置を可変することを特徴とした洗車機。
【請求項６】
請求項４または５記載の洗車機において、前記表示器は、洗車中には洗車動作の進行状況やその他の広告情報を表示して運転者の視線を引きつけることを特徴とした洗車機。
【発明の詳細な説明】
【０００１】
【産業上の利用分野】
この発明は、自動車が通り抜け可能な洗車スペースに設置され、複数の洗車処理装置を配置して洗車機本体と自動車との相対移動に伴い自動車車体の洗浄・乾燥をはかる洗車機に関する。
【０００２】
【従来の技術】
従来より、この種の装置として特開平１１−２０６２７号公報に記載の洗車機が知られている。すなわち、自動車を跨ぐように走行する門型洗車機であって、洗車機本体前側にブラシや散水ノズルを備えた洗浄部を形成し、洗車機本体後側にブロワノズルを備えた乾燥部を形成しており、洗車機の前側で自動車を洗浄しながら後側で車体の乾燥をはかるよう動作して、洗車機の１回の走行で洗浄と乾燥を行う短時間の洗車作業を可能にした装置が知られている。
【０００３】
こうした洗車機は、自動車が洗車機の前方から洗車エリアへ進入して洗車を受け、洗車が終了すると洗車機後方へ退出するようレイアウトされており、いわゆるドライブスルー形式で洗車サービスが行われる。つまり、自動車の運転者が自ら洗車機へ乗り入れ、乗車したまま洗車を受けた後に退場するという使用方法がとられることが多い。このため、慣れない利用者でも戸惑うことなく入場・停車・退場ができるようガイド手段を設けており、特開平１１−２０６２７号公報に記載の洗車機にも、洗車機本体１前面にあって入場を誘導する進入誘導灯１１と、本体１後方に位置する退場誘導灯１２とが設けられている。
【０００４】
【発明が解決しようとする課題】
上記のような従来の洗車機では、慣れない運転者が適正な位置へ自動車を停止させるのに手間取ることが多く、結果として洗車処理の効率を上げられないという問題があった。すなわち、進入誘導灯１１が洗車機本体１の前面にあるため、自動車を洗車エリアへ向けて乗り入れる際には運転席から良く見えるが、自動車先端が本体１内に入り込むような洗車機に接近した位置で自動車を停止する必要があるため、停止する間際では誘導灯１１に近すぎて視線を側方へ移さないと視認できず、停止するタイミングを捉え難いものであった。このため、停車位置近くで停止・徐行したり、時には行き過ぎて後退したりして、位置補正する動作を必要とすることが多かった。
【０００５】
また、上記のような洗車機では、洗車機が自動車の運転席より後方に位置する状態で洗車が終了し（図１（ｂ）参照）、退場するよう音声アナウンスと退場誘導灯による点灯表示でガイドするのであるが、洗車機からの音声アナウンスは後方からで決して聞こえ易いものではなく、また誘導灯が点灯するだけで見落とされるケースもあって退場が遅くなり、結果として洗車処理の効率を上げられないという問題があった。
【０００６】
【課題を解決するための手段】
この発明は、自動車が通り抜け可能な洗車スペースに設置され、複数の洗車処理装置を配置して洗車機本体と自動車との相対移動に伴い自動車車体の洗浄・乾燥をはかる洗車機において、洗車機本体の前端部に設けられる車体検出手段と、該車体検出手段の後方に位置し洗車機本体に昇降可能に支持される車体上面処理装置と、前記車体検出手段と車体上面処理装置との間の洗車機本体内壁に形成される凹陥部と、該凹陥部に設けられ自動車の進入・停止等を点灯して案内するガイド灯と、前記車体検出手段からの車体検出信号に応じてガイド灯の点灯を制御する制御手段とを設けることを特徴として、自動車入場時の上記問題点の解消をはかったものである。
【０００７】
ここで、前記凹陥部は、自動車の運転席からガイド灯の視認がし易いよう前側に傾斜面を形成してあり、ガイド灯の透光カバー部が洗車本体内壁より内側へ洗車に影響しない程度に突出するよう設ければ良い。また、前記凹陥部にはそれを覆うように透光カバーが設けられ、この透光カバーは洗車本体内壁より内側へ洗車に影響しない程度に突出すると共に、透光カバーの主面が自動車の運転席へ向くように後方から前方へ傾斜して設けるようにしても良い。
【０００８】
更に、この発明は、自動車が通り抜け可能な洗車スペースに設置され、複数の洗車処理装置を配置して洗車機本体と自動車との相対移動に伴い自動車車体の洗浄・乾燥をはかる洗車機において、洗車機本体の前端部に設けられる第１の車体検出手段と、洗車機本体の後端部に設けられる第２の車体検出手段と、洗車機本体後方に位置し自動車の入場や退場を促すガイド表示を行う表示器と、前記第１および第２の車体検出手段からの車体検出信号に応じて表示器の表示を切り換えるよう制御する制御手段とを設け、前記表示器はＬＥＤ等の発光表示素子をマトリクス状に配列し所定の文字・図形等を表示する表示内容可変のものであり、入場や退場を促す文字情報を表示することを特徴として、自動車退場時の上記問題点の解決をはかったものである。
【０００９】
ここで、前記表示器は、洗車位置に停車した自動車の運転席から視認できるよう自動車の退出路へ突出させた第１の位置と、自動車の退出路から退避させた第２の位置とをとり得るよう位置可変手段を具備しており、前記制御手段は、車体検出手段からの車体検出信号に応じて表示器の位置を可変することが望ましい。また、前記表示器は、洗車中には洗車動作の進行状況やその他の広告情報を表示して運転者の視線を引きつけることが望ましい。
【００１０】
【作用】
運転者は自動車を洗車機へ乗り入れるに当たり、洗車機前側の左右内壁との間隔をとって入場させることになり、ガイド灯を洗車機本体前側の内壁に設けることで、運転しながら自然にガイド灯を視野にとらえらることができる。また、ガイド灯は車体検出手段と車体上面処理装置との間にあって、運転者の視線を捕らえたり遮ったりする物がないため、十分な視認性を確保することができる。更に、洗車機本体の内壁を凹陥させてガイド灯を設けて、ガイド灯を内側へ極端に突出させることがなく洗車の障害にならないようにしている。
【００１１】
洗車機の後方には表示器を備え、文字・図形等を表示内容可変に表示するので、従来のように「停止」「退場」といった動作命令を点灯表示するのでなく、「洗車中です。停車したままでお待ちください。」「洗車が終了しました。前進で退場してください。」といったように洗車の状況を合わせて告知でき、運転者も状況理解によりレスポンス良く行動に移すことができる。また、洗車中には洗車動作の進行状況やその他の広告情報を表示すれば、運転者の視線を引きつけることができ、表示が見落とされることがない。更に、洗車中は運転席から視認できるよう自動車の退出路へ突出させ、洗車終了後は自動車の退出路から退避させるよう位置可変とすることで、視認性と退出容易性を両立させることができる。
【００１２】
【従来例】
以下、その実施例について図面を基に説明する。
図１は実施例における入場・退場の様子を説明する平面レイアウトの説明図、図２は同実施例の側面説明図、図３は同じく平面説明図で、ここでは前記従来例１と同様な門型洗車機に実施した例を示している。
【００１３】
１は洗車機本体で、門型に形成されレール２・２上を自動車Ａを跨ぐように往復走行する。本体１は、図１（Ａ）に見られるように通常レール２・２で与えられる走行範囲の後端部に停止し、この位置から洗車を開始する。本体１には、ブラシ装置３・４・４，ブロワノズル６・７・７をはじめ散水ノズル５ａ・５ｂ，液剤タンク（図示しない）等が備えられ、走行に伴って水，洗剤，ワックス等を散布してブラッシングする洗浄作業やブロワノズルより空気を吹き付ける乾燥作業を行う。
【００１４】
ここで、洗車を受ける自動車Ａは、図１（Ａ）の矢印で示すように、レール２・２で与えられる本体１走行範囲の前方から進入し、図１（Ａ）（Ｂ）に図示される位置に停車して洗車を受け、洗車が終了すると図１（Ｂ）に示すように同走行範囲後方へ退場する。すなわち、自動車は前進走行して進入し、洗車後は同じく前進走行して退場するもので、洗車機利用客が自動車に乗ったまま洗車を受けて通り抜ける、いわゆるドライブスルーによる洗車を可能にしている。
【００１５】
前記ブラシ装置は、本体１前側に位置し車体上面に沿って昇降し同上面をブラッシングする上面ブラシ装置３と、該上面ブラシ装置３の下方に位置し車体に対して接離（開閉）動作し主に車体側面下部をブラッシングする左右一対のロッカーブラシ装置（図示しない）と、上面ブラシ装置３およびロッカーブラシ装置の後方に位置し車体に対して接離（開閉）動作し車体の前後面および側面をブラッシングする左右一対の側面ブラシ装置４・４とからなる。なお、このブラシ装置３・４・４は散水ノズル５ａ・５ｂと共にブロワノズル６・７・７より本体１前側にあって、洗浄部Ｓを形成している。
【００１６】
また、前記ブロワノズルは、各ブラシ装置３・４・４の後方にあって、車体上面に沿って昇降し同上面に空気を吹き付けて乾燥をはかる上面ブロワノズル６と、該上面ブロワノズル６より更に本体１後方に位置し車体側面に空気を吹き付けて乾燥をはかる左右一対の側面ブロワノズル７・７とからなり、本体１の後側に乾燥部Ｄを形成している。８はレール２・２で与えられる本体１走行範囲に入る手前で自動車の運転席から操作可能な高さに設けられる操作ボックスで、料金投入と洗車内容の選択入力等の操作を受け付ける。
【００１７】
９は本体１の洗浄部Ｓの後方で乾燥部Ｄの手前に位置しブラシ装置および散水ノズルから飛散する水がブロワノズルのある乾燥部Ｄへ至らぬように遮断するシャッターである。シャッター９は、側面ブラシ４と上面ブロワノズル６との間の本体１天井部に設けられており、それぞれ上下に昇降自在な複数（図面では３枚）の遮蔽板を備え、この遮蔽板をまとめて支持する左右一対のキャリアこのによって昇降操作し、各遮蔽板はキャリアの下降に伴い自重で下降し、それぞれ段差を設けて順番に下降が規制されることによって、複数の遮蔽板が上下に連なるようにしてスクリーンを形成する。
【００１８】
１０は本体１のブラシ装置より前側の前縁部に設けられ自動車の車形を読み取る車形検出装置で、複数の発光素子を上下に配列させた発光部１０ａと、これに対応して複数の受光素子を上下に配列した受光部１０ｂとを対向させてあり、洗車機本体１の走行に伴い両者間で光信号の授受を行い、これにより車体の上面位置を検出し自動車の側面形状（輪郭）を読み込むものである。こうして取り込まれた車形データはブラシ装置３・ブロワノズル５および後述するシャッター９の昇降制御に使用される。１１ａ・１１ｂは車体検出手段としての光電スイッチで、本体１前端部にあり車形検出装置９と前後して２対設けられており、自動車の入場時に、前側の光電スイッチ１１ａで車体検出し、且つ後側の光電スイッチ１１ｂが車体検出していない位置で、自動車を停止させるよう位置設定されている。
【００１９】
１２は本体１後端部にある車体検出手段としての光電スイッチで、自動車が本体１内より退出するのを検出する。１３は本体１後面に設けられ本体１後方の所定範囲にある物体を検出する物体検出器で、照射した赤外光の反射波を検知して物体検出するいわゆるエリアセンサからなり、本体１が後退する際にその進行方向に退出する車両や人等がいないか確認するものである。
【００２０】
１４は洗車機本体１へ自動車が入場する際に「前進」「停止」「後退」を点灯指示して案内するガイド灯で、「前進」「停止」「後退」の表示のために各々ランプを設け本体１内壁を凹陥させた部分に取り付けられており、車体検出手段たる光電スイッチ１０ａと車体上面処理手段たる上面ブラシ３との間に位置する。１５は洗車機本体１の後方に設置され洗車を受ける自動車の運転者に各種指示や情報を提供する表示器で、ＬＥＤをマトリクス状に配列した電光表示装置からなり、洗車開始時には前記ガイド灯と連繋して自動車の入場を誘導し、洗車中には洗車動作の進行状況やその他の広告情報を表示し、洗車が終了すると「洗車が終了しました。前進で退場してください。」といった退場ガイドをする。
【００２１】
表示器１５は、図１（ｂ）に示すように洗車後に自動車が側方へ退場するレイアウトであれば、図１・２に示すように洗車機１後方の所定位置に固定設置しておけば良い。しかし、自動車が洗車機１後方へ真っ直ぐに前進して通り抜けるレイアウトであれば、表示器１５は自動車の退出路にとって障害物となるため、図４に示すような位置可変手段が必要になる。すなわち、表示器１５は基台１５ｂ上に回動自在に支持されたアーム１５ａにより立設支持され、洗車時にはアーム１５ａを回動させて表示器１５を自動車退出路に突出させるようにして、洗車中の自動車の運転席から視認され易い位置に置き、洗車後の自動車退場の際にはアーム１５ａを回動させて表示器１５を自動車退出路から退避させようにする。これによって、実施例装置を使用する洗車場がどのようなレイアウトであっても、効果的に実施できるものである。
【００２２】
図５は前記ガイド灯１４の取付部の説明図で、図５（ａ）はガイド灯１４の取付部断面を平面視した図であり、図５（ｂ）はガイド灯１４取付部を本体１内から見た外観図である。ガイド灯１４は「前進」「停止」「後退」それぞれを点灯表示する３個の色分け（緑、赤、黄）された回転灯からなり、洗車機本体１内側の洗車エリアに面した内壁１ｗを凹陥させた凹陥部１ｄの底面に取り付けられている。凹陥部１ｄは、自動車の運転席からガイド灯の視認がし易いよう、入場時の視認方向である前側に傾斜面１ｃを形成してあり、ガイド灯のカバー先端部が洗車本体内壁より内側へ洗車に影響しない程度に突出するよう設けられている。１６は表示タグで、各ガイド灯１４に相当する位置に「前進」「停止」「後退」と印刷してある。
【００２３】
なお、ガイド灯１４は図６のように構成することもできる。すなわち、凹陥部１ｄには「前進」「停止」「後退」に応じて３個の電球が収容され、各電球は凹陥部１ｄ内において仕切板１７により仕切られており、凹陥部１ｄ全体は透光カバー１８によって覆われている。透光カバー１８は、本体１内壁１ｗより内側へ洗車に影響しない程度に突出し、その主面が自動車の運転席へ向くように後方から前方へ傾斜して設けられ、この傾斜した主面には各電球に相当する位置に「前進」「停止」「後退」と印刷してある。
【００２４】
したがって運転者は、「前進」のガイド灯が点灯する間は自動車を前進させ、「停止」のガイド灯が点灯すると自動車を停止させるようにして、自動車を所定の洗車位置に停止させる。また、自動車が本体１内に入りすぎると「後退」のガイド灯が点灯するので、この場合は「停止」のガイド灯が点くまで自動車を後退させれば良い。
【００２５】
図７は実施例の制御系を示すブロック図で、２０はマイクロコンピュータを備えた制御部、２１は各部の駆動回路、２２は洗車位置にある自動車に対して音声出力をする音声出力部である。制御部２０は、操作ボックス８において洗車を受け付け、上記車形検出装置１０，光電スイッチ１１ａ・１１ｂ・１２，物体検出器１３をはじめ図示しないその他の各種センサ等からの信号に基づき予めプログラムされたシーケンスに従って、洗車機本体１の走行、ブラシ３・４・４およびブロワノズル６・７・７の作動、散水ノズル５ａ・５ｂからの放水、シャッター９の昇降、ガイド灯１４および表示器１５の表示、音声出力部２２からの音声出力等を制御する。特に、制御部２０は、車形検出装置１０からの車形データを基に、上面ブラシ３・上面ブロワノズル６およびシャッター９を車体上面に沿うよう昇降制御する。
【００２６】
実行される代表的な洗車動作としては、（１）本体１が前方へ１回往行するだけで洗浄と乾燥とを完了するスピード洗車と、（２）本体１が１往復して洗浄動作した後に２回目の往行時に乾燥動作するノーマル洗車と、（３）本体１が１往復して洗浄動作とワックス塗布を行い２回目の往行時に乾燥動作するワックス洗車がある。この他にもコーティング処理・水垢処理・高圧洗浄などの処理を盛り込んで２往復・３往復といったより付加価値の高い洗車動作をさせることもできる。
【００２７】
図８は実施例の洗車時の動作を説明するフローチャート、図９は図８における入場処理のシーケンスを示すフローチャート、図１０は図８における退場処理のシーケンスを示すフローチャートである。以下、これらの図を基に実施例の動作を説明する。
【００２８】
洗車しようとするお客が、まず操作ボックス８において洗車料金を投入し洗車内容等を選択して洗車開始入力すると、図８に示すフローを実行して洗車が行われる。図８において、洗車開始入力があると、まず入場処理のシーケンス（１）が実行されて自動車を所定範囲の洗車位置へ入場させ、自動車が洗車位置に停止すると選択された洗車内容に応じた洗車シーケンス（２）を実行して入場した自動車を洗車処理し、洗車が終了すると退場処理のシーケンス（３）が実行されて自動車を退場させ、また洗車機を洗車開始位置へ復帰させて一連の洗車を終了するものである。
【００２９】
図９の入場処理のシーケンスにおいて、洗車機１はレール２・２の後端部近くの開始位置に停止しており、この洗車機１に対して図１（ａ）に示すように自動車の先端が洗車機１内ある状態（洗車位置にある状態）とするよう、自動車の入場を誘導する。まず、光電スイッチ１１ａ・１１ｂにおいて車体検出しておらず自動車が洗車機１まで到達していなければ（１）、ガイド灯１４の「前進」ランプを点灯し、表示器１５には「前進してください。」といった入場を促す表示を行う（２）。この後自動車が前進して、光電スイッチ１１ａが車体検出し光電スイッチ１１ｂが車体検出しない状態となる停止位置に達すれば（３）、ガイド灯１４の「停止」ランプを点灯し、表示器１５には「停止してください。」といった停止を促す表示を行う（４）。
【００３０】
こうして、停止を促す表示に従い自動車が停止位置に所定時間留まることを確認できれば（５）、表示器１５に「洗車を開始します。停車したままでお待ちください。」といった洗車開始の表示を行いリタンする（６）。なお、ステップ（３）で停止位置からの移動が確認されると、それが光電スイッチ１１ａ・１１ｂがともに車体検出する行き過ぎの状態であれば（７）、ガイド灯１４の「後退」ランプを点灯し、表示器１５に「後退してください。」といった後退を促す表示をし、また、それが光電スイッチ１１ａ・１１ｂがともに車体検出できない状態であれば（１）、ステップ（２）を再度実行する。
【００３１】
図１０の退場処理のシーケンスにおいて、洗車が終了すると洗車機１と自動車は図１（ｂ）に示すように自動車後端が洗車機１内にある位置関係にあり、この状態から自動車を退場させ洗車機を図１（ａ）の開始位置へ復帰させるよう処理する。光電スイッチ１２が車体検出しており自動車が洗車位置に停止したままであれば（１）、表示器１５に「洗車が終了しました。前進で退場してください。」といった退場を促す表示を行い、同時に音声出力部２２より同旨の音声アナウンスを出力させる（２）。この後自動車が退場して、光電スイッチ１２が非検出となれば（３）、一定時間Ｔ１だけ待った後（４）、「洗車機が後退します。ご注意ください。」といった表示および音声を表示器１５・音声出力部２２より出力させながら洗車機本体１を後退させる（５）。
【００３２】
この洗車機１の後退中に光電スイッチ１２または物体検出器１３が検出状態となれば（６）、洗車機本体１の走行を停止し「洗車機が後退します。ご注意ください。」といった表示および音声を表示器１５・音声出力部２２より出力させる（７）。これにより、検出状態であった光電スイッチ１２または物体検出器１３が非検出となれば（８）、短時間Ｔ２（Ｔ１＞Ｔ２）だけ待った後（９）、ステップ（５）へ移行し洗車機本体１を後退させる。
【００３３】
このようにして洗車機本体１が後退しレール２・２後端の開始位置へ復帰すれば（１０）、本体１の走行を停止する（１１）。このように、洗車機の後退に際しては人や自動車と接触しないよう安全をはかりながら後退し、開始位置に戻るとリタンして、次の洗車を待ち受ける状態になる。
【００３４】
なお、表示器１５が図４に示すような可動式のものであれば、表示器１５は図９のステップ（２）のタイミングで退出路側へ突出し、洗車が終了すると表示器１５は退出路より退避するといった動作をさせれば良い。
【００３５】
この実施例は以上のように構成されるが、本発明はこの実施例に限定されるものではない。この実施例では、ブラシ装置を備えブラッシング洗浄するタイプの洗車機に実施した例を示すが、ブラシ装置を備えず車体を高圧スプレー等で洗浄するタイプの洗車機にも同様に実施することができる。また、車体検出手段として光電スイッチを使用しているが、車体検出できるセンサーであれば何を使用しても良く、また車形検出装置１０で車体検出手段を兼ねるようにすることも可能である。
【００３６】
【発明の効果】
以上説明した通り、この発明によれば、ガイド灯を洗車機本体前側の内壁に設けることで、運転しながら自然にガイド灯を視野にとらえらることができ、視線を移す必要なく前進・停止等の案内をうけることができ、容易に適正な洗車位置へ乗り入れることができる。そして、これにより自動車入場時の時間短縮をはかることができ、洗車処理の効率を向上させることができた。また、ガイド灯は車体検出手段と車体上面処理装置との間にあって、運転者の視線を捕らえたり遮ったりする物がなく、更に、洗車機本体の内壁を凹陥させてガイド灯を設けて、ガイド灯を内側へ極端に突出させることがないので、視認性を犠牲にしたり洗車に支障を及ぼすことなく最適な位置にガイド灯を設けることができた。
【００３７】
洗車機の後方には表示器を備え、文字・図形等を表示内容可変に表示するので、従来のように「停止」「退場」といった動作命令を点灯表示するのでなく、「洗車中です。停車したままでお待ちください。」「洗車が終了しました。前進で退場してください。」といったように洗車の状況を合わせて告知でき、運転者も状況理解によりレスポンス良く行動に移すことができる。また、洗車中には洗車動作の進行状況やその他の広告情報を表示すれば、運転者の視線を引きつけることができ、退場を促す表示が見落とされることが少なくなり、洗車終了後の退場処理を円滑に行うことができる。そして、こうしたことにより、自動車の退場を円滑なものとし洗車処理の効率を向上させることができた。
【００３８】
更に、洗車中は運転席から視認できるよう自動車の退出路へ突出させ、洗車終了後は自動車の退出路から退避させるよう位置可変とすることで、視認性と退出容易性を両立させることができる。
【図面の簡単な説明】
【図１】実施例における入場・退場の様子を説明する平面レイアウトの説明図である。
【図２】実施例の側面説明図である。
【図３】実施例の平面説明図である。
【図４】実施例の表示器１５を位置可変に設置する場合の説明図である。
【図５】実施例のガイド灯１４の取付部の説明図である。
【図６】他の実施例のガイド灯１４の取付部の説明図である。
【図７】実施例の制御系を示すブロック図である。
【図８】実施例の洗車時の動作を説明するフローチャート図である。
【図９】図８における入場処理のシーケンスを示すフローチャート図である。
【図１０】図８における退場処理のシーケンスを示すフローチャート図である。
【符号の説明】
１　洗車機本体
３　上面処理装置としての上面ブラシ
１１ａ　車体検出手段（第１の車体検出手段）としての光電スイッチ
１２　第２の車体検出手段としての光電スイッチ
１４　ガイド灯
１５　表示器
２０　制御手段としての制御部
【図１】
2004001598.tif 000003
【図２】
2004001598.tif 000004
【図３】
2004001598.tif 000005
【図４】
2004001598.tif 000006
【図５】
2004001598.tif 000007
【図６】
2004001598.tif 000008
【図７】
2004001598.tif 000009
【図８】
2004001598.tif 000010
【図９】
2004001598.tif 000011
【図１０】
2004001598.tif 000012